(57)【要約】【課題】人体の表面に密接に接触し、風通しのよい腰保険用バンドを提供する。【解決手段】複数の経度布片２１に複数の緯度織り糸２２を垂直に交差して作った腰バンド２０を用意し、各二条の経度布片２１の間に通風細穴２３を形成させる。更に複数のチップ組３０を埋設できる複数の凹み部を腰バンド２０の全面積に規則的に間隔をへだてて設置する。更に伸縮性のある材質で作った固定膜３２で複数のチップ３１を包囲して安定させてから各凹み部の中に埋設する。各チップ３１はメタル基材の上面にエネルギー被覆層を塗粧して遠赤外線を放射できる様に作る。更に腰バンド２０を腰の周囲に巻き付けた時にその両末端を連接したりはずしたりする連接部２５をベルクロで形成させる。【選択図】図２
0003122086.tif 000002
【実用新案登録請求の範囲】
【請求項１】
複数の伸縮可能な経度布片と複数の伸縮しないナイロン材の緯度織り糸とが垂直に交差して作られ、各二条の前記経度布片の間は通風細穴が形成され、両末端に設置される連接部を備え、全面積に規則的に間隔をへだてて設置される複数の凹み部を持つ伸縮可能な腰バンドと、
ある形状を持つメタル基材と前記メタル基材の上面に塗粧されるエネルギー被覆層とで構成される複数のチップと、ある間隔をへだてて配置されている複数の前記チップ組を包囲して設置される固定膜とで構成され、前記伸縮可能な腰バンドの複数の前記凹み部の中に埋めて置かれる複数のチップ組と、
で構成され、前記腰バンドの両末端の前記連接部は相互に連接されたりはずされたりし、前記腰バンドは環状で人体の腰に巻き付けて置けると共に、前記各チップの前記エネルギー被覆層は遠赤外線を放射することを特徴とするチップ内蔵の伸縮可能な腰保健用バンド。
【請求項２】
前記エネルギー被覆層は、銅、カーボン、シリコン、マンガン、リン、ニッケル、ゲルマニウム、クローム、モリブデン、チタン、及びバナジンをある比例で混合して作られていることを特徴とする請求項１に記載のチップ内蔵の伸縮可能な腰保健用バンド。
【請求項３】
前記腰バンドの前記連接部はおすベルクロ及びめすベルクロにして、前記おすベルクロと前記めすベルクロとはその裏側に伸縮しない皮の補強部を持つことを特徴とする請求項１に記載のチップ内蔵の伸縮可能な腰保健用バンド。
【請求項４】
前記腰バンドの前記連接部はおすベルクロとめすベルクロにして、前記おすベルクロと前記めすベルクロとはその裏側に伸縮しない布の補強部を持つことを特徴とする請求項１に記載のチップ内蔵の伸縮可能な腰保健用バンド。
【請求項５】
前記固定膜は伸縮性があるethylene vinyl-acetate（ＥＶＡ）で作られていることを特徴とする請求項１に記載のチップ内蔵の伸縮可能な腰保健用バンド。
【請求項６】
前記固定膜は伸縮性があるpoly ethylene（ＰＥ）で作られていることを特徴とする請求項１に記載のチップ内蔵の伸縮可能な腰保健用バンド。
【請求項７】
前記固定膜は伸縮性があるthermal plastic rubber（ＴＰＲ）で作られていることを特徴とする請求項１に記載のチップ内蔵の伸縮可能な腰保健用バンド。
【請求項８】
前記固定膜は伸縮性があるthermoplastic poly urethene（ＴＰＵ）で作られていることを特徴とする請求項１に記載のチップ内蔵の伸縮可能な腰保健用バンド。
【考案の詳細な説明】
【技術分野】
【０００１】
本考案はチップが遠赤外線を放射することを利用する腰保健用バンドに関する。
【背景技術】
【０００２】
生活水準が日増しに高まるのにつれて、人々は日常生活の養生に対して非常に注意し、現在遠赤外線を利用した保健用器具を使用することが流行している。赤外線は人体に接近すると、その微量なエネルギーを放射して、身体の水分子と共振して吸収され、それにより血液の循環を促進し新陳代謝を強化させる。同時に大きい水分子集団を小さい水分子集団に分解する。図１が示す従来の遠赤外線腰保健用バンド１０は腰バンド１１と複数のチップ板１２とで構成され、腰バンド１１は織り布で作り、その上に複数の凹み部を形成して、チップ板１２をこれらの凹み部１１１の中に埋設している。それでこの腰保健用バンド１０を人の腰の周囲に巻き付けておくと、チップ板１２の各チップが人体に対して遠赤外線を放射し、人体の組織を刺激する。更に腰バンド１１の両末端にはそれぞれベルクロを縫い付けて、腰バンド１１を腰の周囲に巻き付けたあと、両ベルクロをかかり合わせて連接して置く。
【考案の開示】
【考案が解決しようとする課題】
【０００３】
上述の従来の遠赤外線腰保健用バンドはそのチップ板１２が石英や陶磁器で作られているので必要なサイズに切ることが容易でなく、又そのサイズが割に大きいので湾曲しにくく、腰バンドの中に装置したあと、腰の周囲に緊密に巻き付けるのが難しい。それでチップ板１２から放射される遠赤外線が人体に吸収されにくくなる。更に腰バンド１１は風通しをよくさせる細穴がないので、長時間使用すると腰部は蒸し熱くなり心地が悪くなる。それでこれらの欠点を改善した腰保険用バンドを提供することを本考案の課題とする。
【課題を解決するための手段】
【０００４】
本考案は、腰バンドを伸縮できる様にし又自由に湾曲して人体の表面に密接に接触できる様にして外チップが放射する遠赤外線を人体によく吸収できる様にする為に、複数の経度布片に複数の緯度織り糸を垂直に交差して作った腰バンドを用意し、又長時間使用しても蒸し熱くならない様に各二条の経度布片の間に通風細穴を形成させる。更に複数のチップ組を埋設できる複数の凹み部を腰バンドの全面積に規則的に間隔をへだてて設置する。更に複数の遠赤外線を放射するチップを各凹み部に安定して埋設するために、伸縮性のある材質で作った固定膜で複数のチップを包囲して安定させてから各凹み部の中に埋設する。各チップはメタル基材の上面にエネルギー被覆層を塗粧して遠赤外線を放射できる様に作る。更に腰バンドを腰の周囲に巻き付けた時にその両末端を連接したりはずしたりする連接部をベルクロで形成させる。それで本考案のチップ内蔵の伸縮可能な腰保健用バンドは自由に湾曲して人の腰の周囲に巻き付けられて人体の表面に密接に接触しチップが放射する遠赤外線光波は人体によく吸収される。
【考案を実施するための最良の形態】
【０００５】
本考案の実施例のチップ内蔵の伸縮可能な腰保健用バンドは伸縮可能な腰バンド２０と複数のチップ組３０とで構成される。
腰バンド２０は複数の経度布片２１と緯度織り糸２２とが垂直に交差して構成され、且つ各経度布片２１は弾性がある材質で作って伸縮でき、更に各二条の経度布片２１の間は通風細穴２３が形成され、緯度織り糸２２は弾性がないナイロンで作られる。更に腰バンド２０は規則的な間隔でへだてた複数の凹み部２４を形成し、後述のチップ組３０をその中に埋設する。その外腰バンド２０はその両末端におすベルクロ２５１とめすベルクロ２５２を縫い付けて、各連接部２５を形成する。更にめすベルクロ２５２はおすベルクロ２５１よりも長く、おすベルクロ２５１はめすベルクロ２５２とかかり合う位置を調節できて、腰バンドを環状にして腰の周囲に巻き付けられた時のサイズを調整できる。その外各連接部２５の裏側に皮か布の伸縮性がない補強部２６を縫い付けて連接部２５を強化させている。
【０００６】
次に各チップ組３０は図５及び図６が示す様に、複数のチップ３１と固定膜３２とで構成される。各チップ３１は円形のメタル基材３１１を一定のサイズにプレスで作り、形状は円形の外長方形か三角形でもよく、そのサイズは固定膜３２より小さい。更に各メタル基材３１１の上面にはエネルギー被覆層３１２を塗料して遠赤外線を放射できる様にする。エネルギー被膜層３１２の材料は銅、カーボン、シリコン、マンガン、リン、硫黄、ニッケル、ゲルマニウム、クローム、モリブデン、チタン、及びバナジンをある比例で混合して作り、遠赤外線を放射できる。チップ組３０は複数のチップ３１を規則的に配列し、その外側面を固定膜３２で包囲して形成され、その四周を高周波作業により融合固定させて複数のチップ３１を内部に限定する。又固定膜３２の材料は伸縮性のあるethylene   vinyl-acetate（ＥＶＡ）、poly ethylene（ＰＥ）、thermal plastic rubber（ＴＰＲ）、thermoplastic poly uthelene（ＴＰＵ）等で作る。
【０００７】
次に図７が示す様に、固定膜３２を相当大きいサイズにして沢山のチップ３１を包囲してチップ組３０を作ることもできる。
本考案の実施例の中の腰バンド２０を人体の腰の周囲に巻き付けたあと、チップ組３０の周囲を包囲している固定膜３２は伸縮性のある材質で作られ、又各凹み部２４の中に埋設している各チップ組３０の面積も小さいから各チップ３１は人体の表面に密接に接触する。それで各チップ３１のエネルギー被覆層が放射する遠赤外線は人体によく吸収されて効果がよい。更に腰バンド２０の通風細穴２３は腰バンド２０の内側の熱気を外の方に発散させるので、たとえ腰バンド２０を長時間使用しても蒸し熱い感じを与えない。又体温は３２℃〜３７℃の範囲内なので、丁度エネルギー被覆層３１２の遠赤外線の放射を刺激する最適温度となり、８〜１４μｍの遠赤外線光波が放射されて人体に良好なエネルギー作用を与える。
【０００８】
（考案の効果）
１．本考案のチップ内蔵の伸縮可能な腰保健用バンドは、固定膜が伸縮のあるＥＶＡ等の材質で作られて、且つ各チップは固定膜の内部に配置されるため、腰バンドが湾曲されるとともに湾曲でき、チップは人体の表面に密接に接触する。同時に各チップはメタル基材を使用し出来るだけ小さいサイズに作っているので、人体の表面に密接に接触できる。
【０００９】
２．本考案のチップ内蔵の伸縮可能な腰保健用バンドは、複数の凹み部が腰バンドの全面積に配置され、それらの凹み部に埋設されているチップは広い範囲で人体に接触できる。
３．本考案のチップ内蔵の伸縮可能な腰保健用バンドは、沢山の通風細穴を持っているので風通しがよく、長く着用できる。
【００１０】
４．本考案のチップ内蔵の伸縮可能な腰保健用バンドは、両末端におすベルクロとめすベルクロを持っていて、おすベルクロをめすベルクロにかかり合わせる位置を調整すれば腰バンドを腰の周囲に巻き付けるサイズを加減でき、それで腰のサイズに合わせることができ、着用する心地がよくなる外、更に補強部が両ベルクロを補強しているので使用寿命が長くなる。
【図面の簡単な説明】
【００１１】
【図１】従来の遠赤外線腰保健用バンドの上面図である。
【図２】本考案の一実施例によるチップ内蔵の伸縮可能な腰保健用バンドの上面図である。
【図３】本考案の一実施例によるチップ内蔵の伸縮可能な腰保健用バンドの内部の上面図である。
【図４】本考案の一実施例によるチップ内蔵の伸縮可能な腰保健用バンドの両端を連接させる状態を示す斜視図である。
【図５】本考案の一実施例によるチップ内蔵の伸縮可能な腰保健用バンドの局部斜視図である。
【図６】本考案の一実施例によるチップ内蔵の伸縮可能な腰保健用バンドのチップ組の断面図である。
【図７】本考案の一実施例によるチップ内蔵の伸縮可能な腰保健用バンドのチップ組の配置を示す局部上面図である。
【符号の説明】
【００１２】
２０  腰バンド、２１  経度布片、２２  緯度織り糸、２３  通風細穴、２４  凹み部、２５  連接部、２５１  おすベルクロ、２５２  めすベルクロ、２６  補強部、３０  チップ組、３１  チップ、３１１  メタル基材、３１２  エネルギー被覆層、３２  固定膜
【図１】
0003122086.tif 000003
【図２】
0003122086.tif 000004
【図３】
0003122086.tif 000005
【図４】
0003122086.tif 000006
【図５】
0003122086.tif 000007
【図６】
0003122086.tif 000008
【図７】
0003122086.tif 000009